(57)【特許請求の範囲】
【請求項１】
天井躯体に吊持される複数の吊りボルトを介して建築用パネルを敷設するＴバー等を組み付けてユニット天井面を形成し、前記吊りボルト間で先端側を天井躯体側に基端側を天井面側に架設して傾斜状に取り付けられる補強ブレースであって、
該補強ブレースの先端側には、連結金具を介して前記吊りボルトの上部側へ掛け止めされる掛け金具が取り付けられ、
前記連結金具は、補強ブレースへ取着されるブレース取付部と、前記掛け金具の吊りボルトの略軸線上に対向して設けられたナット部に、所定の傾斜角をもって螺入可能なボルト部とを備え、
かつ、前記ブレース取付部の先端側に形成した板状先部と、前記ボルト部の基端側に形成した板状基部とを、互いに重合させて折曲回転可能に軸着せしめた軸着部を備えて構成すると共に、
前記ブレース取付部を、補強ブレースに対してその先端側から前記軸着部を突出させて取着し、
前記掛け金具に螺入された前記ボルト部を、その緊緩操作により吊りボルトに対して掛け金具と共に固定取着させ、補強ブレースを、前記軸着部を介して前記傾斜角を基準に角度調整可能に構成する一方、
前記ボルト部の任意部位を、補強ブレースの任意の施工許容角度の回転は許容するが、それ以上の不要な回転を規制すべく、他部材の任意部位に当接させる当接手段に兼用せしめて角度規制可能に構成してあることを特徴とする天井下地用補強ブレースの連結構造。
【請求項２】
請求項１において、前記ボルト部の任意部位は、その板状基部であることを特徴とする天井下地用補強ブレースの連結構造。
【請求項３】
請求項１又は２において、前記他部材の任意部位は、前記ブレース取付部に、前記板状基部の両側部と夫々当接すべく折曲形成された当接片であることを特徴とする天井下地用補強ブレースの連結構造。
【請求項４】
請求項１又は２において、前記板状基部の底部を直線状に形成し、該底部を、補強ブレースに対してその切断面と対向するよう所定隙間を存して前記ブレース取付部を取着し、前記他部材の任意部位は、前記底部の角部と当接する補強ブレースの切断面であることを特徴とする天井下地用補強ブレースの連結構造。
【請求項５】
請求項１又は２において、前記ボルト部の板状基部には、ネジ部からテーパ面を介して面落ちする段差部を形成し、前記他部材の任意部位は、前記段差部に対向して当接する前記ブレース取付部の先端角部であることを特徴とする天井下地用補強ブレースの連結構造。
【請求項６】
請求項１又は２において、前記ブレース取付部は、チャンネル状の補強ブレースに対して、その先端側から被せるように両側に折曲片を有するコ字状に形成された取着部と、該取着部から折曲片を傾斜させて延出形成させた、両側に傾斜折曲片を有する板状先部とで構成し、該板状先部の傾斜折曲片を、前記他部材の任意部位として、前記板状基部の両側部が当接することを特徴とする天井下地用補強ブレースの連結構造。
【請求項７】
請求項３において、前記当接片は、前記軸着部の両側の傾斜折曲片であることを特徴とする天井下地用補強ブレースの連結構造。
【請求項８】
請求項１又は２において、前記ボルト部の板状基部を、補強ブレースに対して、そのコ字状内面側に配置させて取り付けし、かつ、軸着部の下方に延出させて、該板状基部の底部の両側がそれぞれ当接する前記他部材の任意部位を、補強ブレースのコ字状の両側立上り片としたことを特徴とする天井下地用補強ブレースの連結構造。
【発明の詳細な説明】
【技術分野】
【０００１】
本発明は、Ｔバー等により格子状に枠組みされてユニット化されたシステム天井などを形成する天井下地用補強ブレースの連結構造に関する。
【背景技術】
【０００２】
一般に、この種ユニット化されたシステム天井構造においては、天井ユニット全体を一体化させて耐震強度を向上させるために、補強ブレースを、天井躯体に吊持される吊りボルト間で先端側を天井躯体側に基端側を天井面（Ｔバー）側に架設して約４５゜の傾斜角度を基本として取り付けされる。
【０００３】
ところで、従来、補強ブレースの取り付けにあり、その施工によっては、吊りボルト相互の間隔が補強ブレースを前記４５゜の傾斜角で取り付けできない個所が存在しまうことから、基本傾斜角４５゜に対して±１５゜の傾斜角をもって架設する取り付けが許容されている。そこで、特許文献１に開示された如く、補強ブレース（１１）の先端側に連結片（可動片１５）を設けて、該連結片と吊りボルト（３）への掛け金具（固定具１３）とを、補強ブレースの角度調整ができるように軸着（１７）したものが知られている。
【０００４】
しかしながら、このものは連結片（可動片１５）と掛け金具（固定具１３）とを直接吊りボルト（３）の側部近傍位置で回転可能に軸着（１７）しているため、掛け金具（固定具１３）が自由端となって必要以上に回転してしまい、補強ブレース（１１）の基端側を持って吊りボルト（３）上部に爪片（１３ｂ）を直接掛止することができず、このため、掛け金具（固定具１３）に爪片（１３ｃ）などを設けて、吊りボルト（３）の下部側に予め掛け金具（固定具１３）を掛け止めした状態から、吊りボルト（３）の上部側に移動させていく作業が強いられ、掛け止め作業がしづらく作業効率が悪くなるという欠点を有していた。また、施工後に地震等による揺れを受け続けると、軸着部に対して、補強ブレース（１１）の施工許容角度（筋かいとして機能する許容範囲）を超えて可変するような押し引き（突っ張り・引っ張り）方向への荷重と、捻れ方向への荷重が集中して加わり、耐震強度に対する依存度が掛け金具（固定具１３）に集中し、掛け金具に位置ヅレや変形を生じ、補強構造全体の耐震バランスが崩れて恒久性を損ねるという危惧を有しており、このため、特許文献２に開示された如く、掛け金具（取付金具６）にボルト部（５１）を螺入することで吊りボルト（２）の略軸線上に補強ブレース（５）を配置でき、捻れ方向への荷重が加わらない構造のものにおいても角度調整ができるものの出現が望まれていた。
なお、上記かっこ（）と共に付した符号は、前記公報中で使用された符号である。
【特許文献１】特開２００２−８８９２７号公報
【特許文献２】特開２００３−１３８６８８号公報
【発明の開示】
【発明が解決しようとする課題】
【０００５】
本発明は、上記の如き問題点を一掃すべく創案されたものであって、補強ブレースと掛け金具とを連結金具介して角度調整可能に連結されるものありながら、補強ブレースを吊りボルト間に傾斜状に架設させる作業時においては、吊りボルト上部に掛け金具を引っ掛ける際に、掛け金具が必要以上に回転することが規制され、引っ掛けにくく、また引っ掛けできない状態を確実に回避でき、角度調整不能な連結金具が用いられたものと同様の掛け止め作業が行え、作業効率をそのまま維持できると共に、施工後においては、地震等による揺れを受けた際、軸着部に押し引き（突っ張り・引っ張り）方向への荷重が加わっても、補強ブレースがその施工許容角度を超えて可変してしまうことを規制することができ、補強構造全体の耐震バランスを良好に維持することができる天井下地用補強ブレースの連結構造を提供することにある。
【課題を解決するための手段】
【０００６】
上記課題を解決するために本発明が採用した技術手段は、天井躯体に吊持される複数の吊りボルトを介して建築用パネルを敷設するＴバー等を組み付けてユニット天井面を形成し、前記吊りボルト間で先端側を天井躯体側に基端側を天井面側に架設して傾斜状に取り付けられる補強ブレースであって、該補強ブレースの先端側には、連結金具を介して前記吊りボルトの上部側へ掛け止めされる掛け金具が取り付けられ、前記連結金具は、補強ブレースへ取着されるブレース取付部と、前記掛け金具の吊りボルトの略軸線上に対向して設けられたナット部に、所定の傾斜角をもって螺入可能なボルト部とを備え、かつ、前記ブレース取付部の板状先部と、前記ボルト部の基端側に形成した板状基部とを、互いに重合させて折曲回転可能に軸着せしめた軸着部を備えて構成すると共に、前記ブレース取付部を、補強ブレースに対してその先端側から前記軸着部を突出させて取着し、前記掛け金具に螺入された前記ボルト部を、その緊緩操作により吊りボルトに対して掛け金具と共に固定取着させ、補強ブレースを、前記軸着部を介して前記傾斜角を基準に角度調整可能に構成する一方、前記ボルト部の任意部位を、補強ブレースの任意の施工許容角度の回転は許容するが、それ以上の不要な回転を規制すべく、他部材の任意部位に当接させる当接手段に兼用せしめて角度規制可能に構成してあることを特徴とするものである。
【発明の効果】
【０００７】
本発明は、上記のように構成したことにより、補強ブレースと掛け金具とを連結金具を介して角度調整可能に連結されるものでありながら、補強ブレースを吊りボルト間に傾斜状に架設させる作業時においては、吊りボルト上部に掛け金具を引っ掛ける際に、掛け金具が必要以上に回転することが規制され、掛け止め姿勢が維持されて、引っ掛けにくく、また引っ掛けできない状態を確実に回避でき、角度調整不能な連結金具が用いられたものと同様の掛け止め作業が行え、作業効率をそのまま維持できると共に、施工後においては、地震等により天井が揺れを受けた際、軸着部に押し引き（突っ張り・引っ張り）方向への荷重が加わっても、補強ブレースがその施工許容角度を超えて可変してしまうことを規制することができ、吊りボルトに対して掛け金具と共に所定の傾斜角、例えば略４５゜の傾斜角で固定取着されたボルト部で、押し引き方向の負荷を受け止めて負荷伝達が図られ、捻れ方向等への大きな負荷が加わることが無く、補強構造全体の耐震バランスを良好に維持することができる。
【発明を実施するための最良の形態】
【０００８】
以下、本発明の実施の形態を好適な実施の形態として例示する天井用補強ブレースの連結構造に基づいて詳細に説明する。
図面において、１は天井躯体であって、該天井躯体１には、複数の吊りボルト２が所定間隔を存して吊持されており、この吊りボルト２の下端に天井パネルを敷設するためのＴハンガー４１を介してＴバー４が天井面全体に格子状に組み付けられることでユニット天井面が形成される。
【０００９】
５は吊りボルト２間で一端を天井躯体１側に基端を天井面となるＴバー４側に架設して取り付けられる補強ブレースであって、該補強ブレース５には、その先端側に連結金具７を介して吊りボルト２の上部に掛け止めされる掛け金具６が取り付けされている。
補強ブレース５は、チャンネル材で形成されており、また、補強ブレース５の基端側は、吊りボルト２の下部に取着された取付金具４１ａを介してビス止め固定されるようになっている。
【００１０】
掛け金具６は、板状体を折曲してナット部６１と二股状の上下の係止片６２、６３と後述する連結金具７のボルト部７２の先端縁を支持する支持片６４が一体形成されている。
前記ナット部６１は、ボルト部７２が螺入される図示しないナット孔が、ボルト部７２の先端が吊りボルト２に対面当接可能な位置に配して穿設されており、このナット部６１を介して上側係止片６２が略９０度（吊りボルト２に対して略４５度）の角度を持って、下側係止片６３が略１３０度（吊りボルト２に直行する略水平方向）の角度を持って、それぞれ異なる長さと角度に折曲形成されている。これによりボルト部７２をナット部６１に螺入した際に、補強ブレース５が吊りボルト２の略軸線上に配置され、略４５度の傾きが得られるようになっている。
【００１１】
上側係止片６２と、下側係止片６３には、吊りボルト２にフック状に係止するための略Ｃ字状の係止部がそれぞれ切欠き形成されており、この両係止部の吊りボルト２に対する形成位置が、補強ブレース５の基本傾斜角（略４５度）が享受されるよう形成され、両者のそれぞれが支持片となって吊りボルト２に対して補強ブレース５が直線的に係止されるようになっている。
また、支持片６４は、ボルト部７２の先端部を吊りボルト２に正確に当接案内する案内片であると共に、ボルト部７２の先端部が吊りボルト２に当接した際、当該先端部に対してナット部６１間で曲げ応力の負荷が加わらないように支持する機能を有し、前記係止部のＣ字状形成の下部側を利用して折曲形成されている。この掛け金具６は、特許文献２に開示された公知のものであり、詳細な説明は割愛する。
【００１２】
連結金具７は、補強ブレース５の先端側に取着されるブレース取付部７１と、掛け金具６の吊りボルト２の略軸線上に対向して設けられたナット部６１に、所定の傾斜角、略４５゜の傾斜角をもって螺入されるボルト部７２とを備え、かつ、ブレース取付部７１の板状先部７１ａと、ボルト部７２の基端側に形成した板状基部７２ａとを、互いに重合させて折曲回転可能にリベットにて軸着せしめた軸着部７３を備えて構成される。
【００１３】
次に、上記連結金具７を具体的に構成した実施例について、図２、図３に基づいて説明する。本実施例における連結金具７のブレース取付部７１は、全体が板状部材により成形されており、チャンネル状の補強ブレース５に対して、その先端側から被せるように両側に折曲片７１ｃを有するコ字状に形成された取着部７１ｂと、該取着部７１ｂから折曲片７１ｃを傾斜させて延出形成させた、両側に傾斜折曲片７１ｄを有する切頭三角形状の板状先部７１ａとで構成される。
また、ボルト部７２は、掛け金具６に螺入されるネジ部７２ｂと、その基端側からテーパ面を介して延出形成される板状基部７２ａを有して構成される。
【００１４】
そして、板状先部７１ａと板状基部７２ａとを、互いに重合させてリベットにて軸着（軸着部７３）することで折曲回転可能に構成されるが、図３に示すように、ボルト部７２の任意部位となる板状基部７２ａを、軸着部７３の下方に延出する部分を含む板状基部７２ａの両側部が、他部材としてのブレース取付部７１における任意部位、即ち、傾斜折曲片７１ｄに対して、補強ブレース５の任意の施工許容角度として定められた略±１５゜の角度で当接するようになっている。なお、この施工許容角度値は改められる場合もある。これにより、ボルト部７２の板状基部７２ａは、当接手段としての機能が兼用され、傾斜折曲片７１ｄが板状基部７２ａの当接片として機能し、掛け金具６の取り付け前においてはボルト部７２が、取り付け後においては補強ブレース５が角度規制される。
【００１５】
図４、図５は連結金具７を具体的に構成した他の実施例を示すものであって、本実施例における連結金具７のブレース取付部７１は、全体が平板状の部材により成形されており、チャンネル状の補強ブレース５に対して、その先端側から軸着部７３とボルト部７２とを突出させて取着し、その突出させた部分を板状先部７１ａとし、補強ブレース５への取付面となる部分を取着部７１ｂとして構成したものである。なお、軸着部７３とボルト部７２とを補強ブレース５の先端側から突出させて取着する構成は、補強ブレース５の切断面より突出させたものであれば良く、例えば、補強ブレース５の先端側の切断面の中央部位にＵ字状の切欠きを設け、このＵ字状の切欠き内に軸着部７３を配置させ、先端面よりも突出させない態様を含むものである。
また、ボルト部７２は、掛け金具６に螺入されるネジ部７２ｂと、その基端側のテーパ面から面落ちさせた段差部７２ｃを介して延出形成される板状基部７２ａを有し、板状基部７２ａの底部を直線状に形成して構成される。
【００１６】
そして、同様に、板状先部７１ａと板状基部７２ａとを、互いに重合させてリベットにて軸着（軸着部７３）することで折曲回転可能に構成されるが、図５に示すように、ボルト部７２の任意部位となる板状基部７２ａの段差部７２ｃが、他部材としてのブレース取付部７１における任意部位、即ち、段差部７２ｃと対向するブレース取付部７１（板状先部７１ａ）の先端面に対して、その角部がそれぞれ補強ブレース５の任意の施工許容角度として定められた±１５゜の角度で当接するようになっている。
また、板状基部７２ａの底部を、補強ブレース５に対してその先端側切断面と対向するよう所定隙間を存してブレース取付部７１の取着部７１ｂを取着し、他部材の任意部位を、補強ブレース５の切断面として、前記底部の角部と±１５゜の角度で当接するようになっている。
これにより、ボルト部７２の板状基部７２ａは、当接手段としての機能が兼用され、その段差部７２ｃと底部とが、それぞれ板状先部７１ａの先端面と補強ブレース５の先端側切断面との２個所で当接がなされ、ボルト部７２が角度規制される。なお、板状基部７２ａを軸着部７３とネジ部７２ｂとの間で延出させて長尺に形成し、板状基部７２ａの底部のみを補強ブレース５の先端側切断面と当接するようにしても良い。
【００１７】
叙述の如く構成された本発明の実施例の形態において、いま、天井躯体に吊持される複数の吊りボルト２を介して建築用パネルを敷設するＴバー４等を組み付けてユニット天井面を形成し、吊りボルト２、２間で先端側を天井躯体側に基端側を天井面側に傾斜状に架設して補強ブレース５を取り付けする際に、補強ブレース５の先端側に、連結金具７を介して折曲回転可能に取り付けられた掛け金具６を吊りボルト２の上部側へ掛け止めするのであるが、
連結金具７は、補強ブレース５へ取着されるブレース取付部７１と、掛け金具６の吊りボルト２の略軸線上に対向して設けられたナット部６１に、所定の傾斜角（略４５゜）をもって螺入可能なボルト部７２とを備え、かつ、ブレース取付部７１の先端側に形成した板状先部７１ａと、ボルト部７２の基端側に形成した板状基部７２ａとを、互いに重合させて折曲回転可能に軸着せしめた軸着部７３を備えて構成すると共に、ブレース取付部７１を、補強ブレース５に対してその先端側から軸着部７３を突出させて取着し、掛け金具６に螺入されたボルト部７２を、その緊緩操作により、吊りボルト２に対して掛け金具６と共に固定取着させ、補強ブレース５を、軸着部７３を介して所定の傾斜角（略４５゜）を基準に角度調整可能に構成する一方、ボルト部７２の任意部位を、少なくとも補強ブレース５の任意の施工許容角度の回転（角度調整）は許容するが、それ以上の不要な回転を規制すべく、他部材の任意部位に当接させる当接手段に兼用せしめて角度規制可能に構成してある。
【００１８】
この様に構成すると、補強ブレース５と掛け金具６とを連結金具７を介して角度調整可能に連結されるものでありながら、補強ブレース５を吊りボルト２，２間に傾斜状に架設させる作業時においては、吊りボルト２の上部に掛け金具６を引っ掛ける際、掛け金具６が必要以上に回転してしまい、掛け金具６の上側係止片６２と下側係止片６３が下向きとなってしまうことが規制され、掛け止め姿勢が維持されて、引っ掛けにくく、また引っ掛けできない状態を確実に回避でき、常に上側係止片６２と下側係止片６３が吊りボルト２に向かい合う姿勢が確保され、角度調整不能な連結金具が用いられたものと同様の掛け止め作業が行え、作業効率をそのまま維持することができる。
しかも、二股の上側係止片６２と下側係止片６３を吊りボルト２の上部側に引っ掛けて係止させた後に、補強ブレース５の基端側からの回転操作でボルト部７２を緊締させて取付けする際に、従来の角度調整ができないものでは、補強ブレース５の傾斜角との関係で、二股の係止片６２、６３の両者が同時に掛け止めできない状態が解消されて、ボルト部７２を、吊りボルト２に対して掛け金具６と共に強固に取り付けでき、補強ブレース５が傾斜して取り付けられた祭に最適なトラスモーメントが得られる利点がある。
【００１９】
さらに、施工後においては、地震等により天井が揺れを受けた際、軸着部７３に押し引き（突っ張り・引っ張り）方向への荷重が加わっても、補強ブレース５がその施工許容角度（筋かいとして機能する許容範囲）を超えて可変してしまうことを規制することができ、吊りボルト２に対して掛け金具６と共に略４５゜の傾斜角で軸線上に固定取着されたボルト部７２で、押し引き方向の負荷を受け止めて負荷伝達が図られ、捻れ方向等の大きな負荷が加わることが無く、補強構造全体の耐震バランスを良好に維持することができる。
つまり、図１に示すように、補強ブレース５が略４５゜の傾斜角でボルト部７２と直線的に取り付けられた状態では、軸着部７３に通常の荷重が加わっても、ボルト部７２は、吊りボルト２に対して、その先端を当接させた状態で掛け金具６と共に強固に取り付けされており、補強ブレース５の基端側が取付金具４１ａに強固に取り付けられているので当該傾斜状態を維持することができるが、大きな振動負荷が加わった場合（天井面全体が大きく揺れた場合）には、軸着部７３を支点として補強ブレース５の傾斜角が上下方向に変位する。しかしながら、ボルト部７２の任意部位（板状基部７２ａの両側部）が、他部材（ブレース取付部７１）の任意部位（傾斜折曲片７１ｄ）に当接されるので、補強ブレース５が施工許容角度を超えて可変してしまうことが規制され、筋かいとしての補強機能を維持することができる。
【００２０】
また、図６に示すように、補強ブレース５が略６０゜（又は３０゜）の傾斜角で取り付けられた状態では、軸着部７３に通常の荷重が加わっても、上記同様に当該傾斜状態を維持することができるが、大きな揺れが加わった場合には、軸着部７３を支点として補強ブレース５の傾斜角が変位しようとする。しかしながら、補強ブレース５の下方への変位は、ボルト部７２の任意部位（板状基部７２ａの下側（又は上側）の側部の側部）が、直ちに他部材（ブレース取付部７１）の任意部位（下側（又は上側）の傾斜折曲片７１ｄ）に当接され、それ以上の角度可変が規制されるので、反対方向への慣性力を減衰する作用によって大きな揺れとなることが抑止される。その結果、施工許容角度を超えて可変してしまうことが規制され、筋かいとしての補強機能を維持することができる。なお、この様な補強ブレース５の取り付けは、天井全体としてクロス状態で施工すれば、一方の揺れを他方の補強ブレース５で抑止することもできる。
【００２１】
また、ボルト部７２の任意部位を、その板状基部７２ａとすることにより、板状基部７２ａ自体の長さや大きさ、形状などの変更が自由に行え、その底部、側部などの所望の個所を、たとえば、ブレース取付部７１や補強ブレース５などを他部材として、それら他部材の各面部などの所望の任意部位に対して当接させる当接手段が容易に構築でき、当該当接関係に基づき角度規制する構成のバリエーション化を図ることができる。なお、ボルト部７２の任意部位を板状基部７２ａとしたが、ネジ部７２ｂであっても良く、また、板状基部７２ａをブレース取付部７１や補強ブレース５などの任意部位に直接当接するようにして角度規制するようにしたが、これに限定されるものではなく、別途当接片（ストッパ片）などを一体的に装着しても良く、また、掛け金具６の任意個所に当接するようにしても良い。
【００２２】
板状基部７２ａが当接する他部材の任意部位としては、ブレース取付部７１の板状先部７１ａに当接片を対向して折曲形成し、このものに板状基部７２ａの両側部を夫々当接するように構成する。つまり、ブレース取付部７１を、チャンネル状の補強ブレース５に対して、その先端側から被せるように両側に折曲片を有するコ字状に形成された取着部７１ｂと、この取着部７１ｂから折曲片７１ｃを傾斜させて延出形成させた、両側に傾斜折曲片７１ｄを有する板状先部７１ａとで構成し、該板状先部７１ａの傾斜折曲片７１ｄを、他部材の任意部位として、板状基部７２ａの両側部が当接するように構成することができる。
この様な当接関係で構成すると、板状基部７２ａの両側部と傾斜折曲片７１ｄとを面状接触により当接することができ、角度規制により受ける荷重を分散して当接強度を向上することができる。しかも、その当接面域は、板状基部７２ａを軸着部７３の下方に延出するだけで変更できるので、当接強度の確保に対する製作も容易である。
【００２３】
また、板状基部７２ａの底部を直線状に形成し、該底部を、補強ブレース５に対してその切断面と対向するよう所定隙間を存してブレース取付部７１の取着部７１ｂを取着し、他部材の任意部位を、前記底部の角部と当接する補強ブレース５の切断面として構成することができる。
この様に構成すると、補強ブレース５が４５゜で取り付け可能な場合には、板状基部７２ａの底部を補強ブレース５の切断面に当接（密着）させた状態でブレース取付部７１ｂを角度調整不能に取着することができ、また、両者の隙間を調整することで、施工許容角度の範囲内での角度規制位置を任意に設定することができ、補強ブレース５の振れ角を、±１５゜の範囲内で任意角度の設定を行うことができる。
【００２４】
また、ボルト部７２の板状基部７２ａには、ネジ部７２ｂからテーパ面を介して面落ちする段差部７２ｃを形成し、前記他部材の任意部位を、段差部７２ｃに対向して当接するブレース取付部７１の先端角部として構成することができる。
この様に構成すると、段差部７２ｃと板状先部７１ａの先端面との当接に加え、前述した板状基部７２ａの底部と補強ブレース５の先端側切断面との当接とを併用して２個所の当接による角度規制を行うことができる。
【００２５】
また、補強ブレース５に対して、ボルト部７２の板状基部７２ａを、補強ブレース５のコ字状内面側に配置させて取着部７１ｂを取り付け（図５に示す取付状態をひっくり返して取り付けした状態）し、更に、板状基部７２ａを、軸着部７３の下方に延出させて、板状基部７２ａの底部の両側（角部や側面）を補強ブレース５のコ字状の両側立上り片にそれぞれ当接させるようにして、他部材の任意部位を、補強ブレース５の両側立上り片として構成することができる。この様に構成すると、板状基部７２ａの形状を幅広にしたり、底部側の側面を面域をもって補強ブレース５の両側立上り片に所定面域をもって面当てするような形状変更が行える。
なお、連結金具７は、チャンネル材の補強ブレース５に限定されず、ボルト材のものにも適用でき、その際、ブレース取付部７の取着部７１ｂにボルト材の先端側を螺入するナット部を設けておけば良い。
【図面の簡単な説明】
【００２６】
【図１】ユニット天井に補強ブレースが取り付けられた状態の全体納まり図である
【図２】連結金具の実施例を示す（Ａ）は正面図、（Ｂ）は背面図、（Ｃ）は平面図である
【図３】連結金具の角度規制状態を示す説明図である
【図４】連結金具の他の実施例を示す（Ａ）は正面図、（Ｂ）は背面図、（Ｃ）は平面図である
【図５】連結金具の角度規制状態を示す説明図で（Ａ）は正面図、（Ｂ）は背面図である
【図６】補強ブレースが取り付けられた状態の要部納まり説明図である
【符号の説明】
【００２７】
１      天井躯体
２      吊りボルト
４      Ｔバー
４１    ハンガー
４１ａ  取付金具
５      補強ブレース
６      掛け金具
６１    ナット部
６２    上側係止片
６３    下側係止片
６４    支持片
７      連結金具
７１    ブレース取付部
７１ａ  板状先部
７１ｂ  取着部
７１ｃ  折曲片
７１ｄ  傾斜折曲片
７２    ボルト部
７２ａ  板状基部
７２ｂ  ネジ部
７２ｃ  段差部
７３    軸着部
【図１】
0005403466.tif 000002
【図２】
0005403466.tif 000003
【図３】
0005403466.tif 000004
【図４】
0005403466.tif 000005
【図５】
0005403466.tif 000006
【図６】
0005403466.tif 000007